(57)【要約】  本発明は、インクチャンバ（１）及びチャンバに流体的に連通されたペン先（３）を有する筆記具に関する。また、インク（１１）に加え、チャンバは分離した粒（１２）であっておきな寸法の鋭い縁部及び角部が設けられた粒（１２）を収容する。このような粒は、ペン先へのインクの供給を均一化する。好ましくは、粒（１２）は、チャンバの内部を移動できる。
2009523078.tif 000002
【特許請求の範囲】
【請求項１】
筆記具であって、
インク容器（１）と、
前記容器と流体的に連通されかつ前記インク（１１）が当該筆記具の使用中において出てくるペン先（３）と、を備え、
前記容器が、前記インクに加え、分離された粒であって当該粒の外形寸法「ｄ」に対して有効な寸法の角部及び鋭い縁部を有する粒を収容することを特徴とする筆記具。
【請求項２】
前記粒が、基本的に非多孔性であることを特徴とする請求項１に記載の筆記具。
【請求項３】
少なくとも一部の前記粒（１２）は、無機材料からなることを特徴とする請求項１または２に記載の筆記具。
【請求項４】
前記無機材料が、砂、炭酸カルシウム、コランダムまたは粉砕ガラスを包含することを特徴とする請求項３に記載の筆記具。
【請求項５】
前記粒（１２）が、前記容器（１）内に収容される当該粒すべてのレーザの粒度分布により決定される平均寸法であって４０μｍ及び５５０μｍの間にある平均寸法（ｄｍ）を有することを特徴とする請求項１から４のいずれか１項に記載の筆記具。
【請求項６】
前記容器（１）に収容される前記粒（１２）の９５％が、８００μｍ未満の寸法（「ｄ」）を少なくとも１つ有することを特徴とする請求項１から５のいずれか１項に記載の筆記具。
【請求項７】
前記容器（１）に収容される前記粒（１２）の９５％が、０．５μｍを越える寸法（「ｄ」）を少なくとも１つ有することを特徴とする請求項１から６のいずれか１項に記載の筆記具。
【請求項８】
前記容器（１）に収容される前記粒（１２）の９５％が、１５０μｍを越える寸法（「ｄ」）を少なくとも１つ有することを特徴とする請求項６に記載の筆記具。
【請求項９】
前記粒の個々の寸法（「ｄ」）が、前記容器（１）に収容される前記粒（１２）の９５％に対して１０未満の割合でばらつくことを特徴とする請求項１から８のいずれか１項に記載の筆記具。
【請求項１０】
前記粒（１２）が、粒の個々の寸法（「ｄ」）にしたがう粒度分布であって単一の最大値を有する粒度分布を有することを特徴とする請求項１から９のいずれか１項に記載の筆記具。
【請求項１１】
前記粒（１２）が、前記容器（１）内で少なくとも部分的に移動可能であることを特徴とする請求項１から１０のいずれか１項に記載の筆記具。
【請求項１２】
前記容器（１）の容積の一部には、前記粒がないことを特徴とする請求項１０に記載の筆記具。
【請求項１３】
前記容器の一部であって前記粒がない容器の一部が、前記容器の容積の３０％未満であることを特徴とする請求項１１に記載の筆記具。
【請求項１４】
前記容器（１）が、少なくとも部分的に透明な壁部（１０）を有することを特徴とする請求項１から１３のいずれか１項に記載の筆記具。
【請求項１５】
前記ペン先（３）が、多孔性の毛管先端部、ボール先端部またはインクローラ先端部またはインクローラ先端部であることを特徴とする請求項１から１４のいずれか１項に記載の筆記具。
【請求項１６】
前記インク（１１）が、液体でありかつ好ましくは水性タイプのインクであることを特徴とする請求項１から１５のいずれか１項に記載の筆記具。
【発明の詳細な説明】
【技術分野】
【０００１】
本発明は、インクの容器内に粒状材料を内蔵する筆記具に関する。
【背景技術】
【０００２】
このタイプのインクの容器のデザインは、１９５０年の米国特許である特許文献１から知られている。特に、この文献は、インクの容器に粒状材料が設けられたペン先を開示している。この材料の構造は、インクに対する毛管現象であってペン先へのインクの安定した供給を得るために適した毛管現象をもたらす。しかしながら、この毛管現象を得るため、粒状材料は、焼結されまたは制御される容器内における粒の分布を有する。所定の開口気孔率を有する焼結された材料は、再現可能な方法において長期的に生産することが困難である。そして、焼結工程は、ペンに対して相当な追加のコストを発生させる。さらに、焼結された粒状材料の隙間にインクがゆっくり浸透するので、容器をインクで充填することが難しくなる。その上、容器内の分離した粒の形状で粒状材料が制御された方法で分布されなければならないとき、粒は、ペンの製造において扱いにくくかつ長い工程に相当するいくつかの工程で容器内に配置されなければならない。これら欠点は、このタイプの解決法が今日において工業的に適用されないことを明らかにしている。具体的に、特に多孔性のペン先について選択された解決法は、インクの容器における合成繊維材料の充填材を配置することと、または最近になり容器にインクを自在に貯蔵する、すなわち充填材料を用いないことと、制御された毛管現象のコネクタを用いてこの容器をペン先に流体接続することと、にある。
【０００３】
さらに、欧州特許出願である特許文献２は、固体粒子、特に２００μｍ（ミクロン）未満の寸法を有するシリカ粒子を含有するインクの組成を開示している。この場合、シリカ粒子は、インクの不可欠な部分を形成しており、すなわち、シリカ粒子は、インクの着色剤及び溶媒が紙のような筆記媒体に置かれるように設計されている。筆記具がシリカ粒子により詰まらされることを阻止するため、シリカ粒子は、インクの重量の５％未満でなければならない。これらの条件において、インクに対する筆記具の容器における毛管現象は、かなり改良される。
【特許文献１】米国特許第２５２８４０８号明細書
【特許文献２】欧州特許第１５１０５６０号明細書
【発明の開示】
【発明が解決しようとする課題】
【０００４】
本発明の１つの目的は、筆記具の容器におけるインクの毛管現象を改良してペン先へのインクの均一な供給を得る一方、筆記具の製造中において迅速に容器を充填することを可能とすることである。
【課題を解決するための手段】
【０００５】
このため、本発明は、筆記具であって、インク容器と、容器と流体的に連通されかつインクが筆記具の使用中において出てくるペン先と、を備える筆記具を提案する。容器は、インクに加え、分離された粒であって粒の外形寸法「ｄ」（「ｄ」は、ｄに下線を引いたものを示す）に対して有効な寸法の角部及び鋭い縁部を有する粒を収容する。
【０００６】
粒の角部及び鋭い縁部の存在は、粒自体の間における粒の配置だけではなく、ペン先にインクの均一な供給をもたらす容器におけるインクの毛管挙動を導かねばならない。これら角部及び鋭い縁部は、粒の外形に起因する。したがって、これらは外見寸法「ｄ」として同様のオーダー、すなわちその外形寸法「ｄ」における１０分の２〜３から１００分の２〜３までのオーダーの大きさの寸法を有する逃げ角部（relief）である。このとき、ペン先を介したインクの流動は、一定である。さらに、容器に当初収容されるインクのかなりの割合は、筆記具の長期にわたる使用の間において戻される。これら大きな角部及び鋭い縁部は、粒間のインクの流体力学やインク及び粒の間の物理的−化学的相互作用を有利に変更し、粒間に形成された毛管空間に収容されたインクの返還を改良すると思われている。また、粒間の毛管空間は、粒の不規則な形状のために十分に可変な形状及び容積を有し、容器がその全体に供給するインクの流動を規制することについて良好な効果を有する。
【０００７】
また、角部及び鋭い縁部の存在は、筆記具が固定された位置で不動のままであるとき、容器における粒の固結または圧縮を制限する。このとき、筆記具の操作は、粒の攪拌なく筆記具の長期にわたる保存により比較的影響されない。
【０００８】
また、容器における分離された粒であってインクに浸漬された粒の存在により、筆記具への衝撃によりもたらされるだろうインクにおける増大された圧力を減衰することは可能となる。このとき、ペン先を介してインクの漏洩であってこのような衝撃がもたらすだろう漏洩は、低減または阻止される。
【０００９】
粒が分離されているため、すなわちこれらが互いに結びついていないため、これらは、容器の形状が複雑であっても容器に単純に注がれることができ、このとき、インクは、中空の針を用いて容器に注入されることができる。例えば、針は、粒から容器の底部にめり込まれてもよく、このとき、インクは、針の段階的な後退の間において、粒間の針から滲出される。そして、容器の迅速かつ均一な充填は、容易に得られる。
【００１０】
最後に、分離された粒の使用により、インク容器の良好な通気が可能となる。そして、容器を通記するための装置であって特に単純な装置は、使用されてもよい。特に、単純化された通気装置の使用により、複雑または独特な形状を有する筆記具の設計及び生産が可能となる。
【００１１】
本発明のさまざまな実施形態において、発明の強化を構成する以下の条件の１つ及び／または以下の条件の他の１つを用いることは、同様に追加的に可能であり、すなわち、
−  粒は、基本的に非多孔性であること、
−  少なくとも一部の粒は、無機材料からなること、
−  無機材料は、砂、炭酸カルシウム、コランダムまたは粉砕ガラスを包含すること、
−  粒は、容器内に収容される粒すべてのレーザの粒度分布により決定される平均寸法であって４０μｍ及び５５０μｍの間にある平均寸法を有すること、
−  容器に収容される粒の９５％は、８００μｍ未満の寸法を少なくとも１つ有すること、
−  容器に収容される粒の９５％は、０．５μｍを越える寸法を少なくとも１つ有すること、
−  容器に収容される粒の９５％は、１５０μｍを越える寸法を少なくとも１つ有すること、
−  粒は、粒の個々の寸法にしたがう粒度分布であって単一の最大値を有する粒度分布を有すること、
−  粒は、容器内で少なくとも部分的に移動可能であること、
−  容器の容積の一部であって容器の容積の１０％を越える一部には、粒がないこと、
−  容器の一部であって粒がない容器の一部は、容器の容積の３０％未満、好ましくは２０％未満であること、
−  インクは、液体でありかつ好ましくは水性タイプのインクであること、
である。
【００１２】
必要ならば、容器は、少なくとも部分的に透明な壁部を有してもよい。このような壁部により、筆記具の使用者は、筆記具のある期間の使用後に容器に残存するインクを見ることができる。
【００１３】
最後に、本発明は、異なるタイプの筆記具に適用されてもよい。特に、ペン先は、例えばマーカあるいはフェルトペンなどの多孔性の毛管先端部、ボール先端部(ball point)、またはインクボールペン先であってもよい。
【発明を実施するための最良の形態】
【００１４】
本発明の他の特有の特徴及び有利点は、添付の図面を参照しながら、非限定的な例示の実施形態の後述の記載において明らかになるであろう。
【００１５】
図１に示された筆記具におけるさまざまな部分の寸法が実際の寸法または寸法比に対応していないことは理解される。特に、これら寸法は、より大きなインク容量を有する筆記具を明らかにするため、またはポケット形式を有する筆記具を生産するために構成されうる。
【００１６】
一例において、図１に示す筆記具は、「ローラペン」タイプである。筆記具は、側壁部１０により限定されたインク容器１、コネクタ２及びペン先を形成するインクローラ３を有する。インクローラ３は、保持される一方、容器１の前方端部に取り付けられた取付部４により回転自在で維持されている。コネクタ２は、インクローラ３に向けた容器１内に収容されたインクの流動を可能とする。コネクタ２は、長手方向に配列されたファイバからなりインク１１により浸透されるシリンダ状の組立体で構成される。必要ならば、コネクタ２の一端部は、コネクタ２の長さ全体にわたってコネクタ２の良好な浸透を得るために、容器１内に向けて突出してもよい。最後に、容器１を通気するための装置５は、取付部４及び容器１の間に挿入されてもよく、容器１における圧力変化に対して、特にインク１１が筆記具のペン先を介して出てくるときに補完する。通気装置５は、バッフルの組により構成されているが、他の圧力補償装置は、代替法として使用されてもよい。
【００１７】
固体材料からなる分離した粒１２は、インク１１と共に容器１内に収容される。これら粒１２は、容器１の容量を完全に充填してもよい。このとき、これらは、互いに不動となる。あるいは、粒１２は、例えば容器１の容積の９０％のように容器１の容積の所定割合のみを占めてもよい。この場合、容器１の容積の１０％には、粒がない。粒が容器１を完全に充填しないと、これらは、筆記具の攪拌中、または通常の使用中に筆記具に付与される移動の影響下のみにおいて移動しうる。
【００１８】
容器１内に収容されるインク１１は、粒１２間において隣接する粒により形成される隙間に分配される。筆記具が使用されるとき、インクローラ３がインクを均一に供給されることを可能とする明らかな毛管現象により、インク１１は、容器１の内側において粒１２間を流動する。発明者らは、この明らかな毛管現象が粒１２の形状により改良されること及びこれら粒の表面の縁部によりペン先３におけるインク１１のとりわけ均一な流動を得ることが可能となることと、いずれにしてもコネクタ２単独であることよりも著しく均一であることと、を見出した。
【００１９】
また、発明者らは、互いに対する粒１２の起こりうる移動が同様にインク１１の均一な流動を得ることに寄与することに気付いた。特に、インク１１は、容器１内部の目詰まりの微少領域において気泡または塊を形成しうる。そして、粒の移動により、このような気泡を除去して塊を溶解することが可能となる。また、粒の移動は、インクの沈殿を防止することに有益に使用されうる。
【００２０】
衝撃が筆記具に付与されると、粒１２は、粒が互いに対して移動できるため、インク１１において起こりうる増大した圧力を和らげる。この緩和は、粒のリッジに沿って発生する摩擦に起因する。このように、インクの漏洩は、ペン先３を介してまたはインク容器を通気するための装置５を介して発生しない。
【００２１】
有利には、容器内に保持されているインク１１の液面を視認するために、容器１の壁部１０は、透光性であってもよく、または透光性の窓部を有してもよい。
【００２２】
インク１１は、好ましくは低粘度を有する。すなわち、インク１１は、その粘度が高い油性のインクとは反対の液体である。これは、特に、水性溶媒のインクであってもよい。この場合、発明者らは、筆記具の寿命の間においてインクがペン先に特に均一な流量で供給されることに気付いた。特に、ペン先へのインクの供給の段階的な減少は、この供給が最終的に停止する前に発生しない。
【００２３】
さらに、本発明における粒を有する容器は、当初に容器内に収納された水性インクの量についての筆記形態における返還率(rate of return)であって繊維状の充填材の容器において観測される率よりも大きい返還率をもたらす。特に、少なくとも１０％の返還としての増量は、本発明における特定の試作品について観測された。
【００２４】
しかしながら、アルコール性または他の溶媒を用いたインクの使用は、完全に想定されうる。
【００２５】
ペン先が上を向く位置で筆記具が保存された後の筆記具の使用とペン先を下に向けて保存した後の使用との間において、着色されたインクの使用が筆記線の着色の濃度におけるバラツキをもたらしうることはさらに知られている。容器の内側において移動できる粒の使用により、このようなバラツキを除去できなくても低減できる。特に、インク線の着色の濃度は、筆記具を振ることにより回復することがある。
【００２６】
粒１２が無機材料であるとき、インク１１の毛管動作は、容器１で観測され、ペン先を介したインクの均一な流量を得るためにいっそう好ましい。粒の材料は、酸化物または炭化物のタイプであってもよい。特にコランダムタイプのアルミナ、シリカ、粉末ガラス、または炭化カルシウムは、筆記具の十分な動作が観測される粒状材料である。さらに、これら材料は、使用されるインクに関して化学的に不活性である。
【００２７】
また、筆記具の顕著な動作性能は、容器１に配置された砂からなる粒を用いて得られる。「砂」は、本質的に、天然由来のシリカベースまたは炭化カルシウムベースの粉体を意味する。いくつかの砂の由来は、さまざまな種本と対応してテストされた。筆記具の改良された動作性能は、さまざまな由来の天然の砂を用いて得られた。それでもなお、多数のテストの後、周知のインクに対して特定の由来の砂がより良好な結果をもたらすと思われる。
【００２８】
図２は、このような由来の砂１２における顕微鏡写真を模写している。この顕微鏡写真は、１００倍に拡大した走査型電子顕微鏡により作り出される。鋭い縁部は、これら縁部間の角部と同様にはっきりと視認されている。したがって、これらは、粒の外見寸法「ｄ」（「ｄ」は、ｄに下線を引いたものを示す）と比較して大きな寸法の角部及び鋭い縁部である。これら巨視的な角部及び鋭い縁部は、粒１２及びインク１１の間の相互作用を十分かつ有益に変更すると理解されている。
【００２９】
したがって、粒１２間の隙間は、粒それぞれの不規則な形状のために容積及び形状において大きなバラツキのある毛管空間を形成する。これにより容器１全体が供給するインク流量の均一化を局所的であるがもたらされるようであり、さまざまな隙間により供給される流動は、著しく変化する。具体的には、容器１の寸法は、容器の各セクションが多数の粒１２を備えることを意味している。
【００３０】
砂粒１２がインクに対して実質的にゼロの多孔性を有するため、粒１２間の隙間と粒のないことがありうる部分とがインク容器１の有効容積を形成することは、理解されるだろう。観測されるかなりのインク返還率を得るため、粒がインクに対して実質的に通気性がないことは、非常に好ましい。
【００３１】
しかしながら、粒であって当該粒の微細孔にわずかでない量のインクを収容するに十分な多孔性を有する粒を用いることは、粒及び隙間に対して微細孔が小さな寸法であるためにこのインクが微細孔に収容されることを見込む危険性を承知の上であるが、不可能でない。この場合であっても、粒が大きな寸法の外側の角部及び鋭い縁部を有して粒間の毛管空間がこれらの機能を果たさなければならないことは留意されるだろうし、微細孔の開口部がこれら自身においてこのような角部及び鋭い縁部を形成することは理解される。同様に、丸みを帯びた粒またはビーズの表面における微視的な欠陥または逃げ角部により、インクに関して粒及び隙間の毛管現象の同一の効果を得ることはできなくなる。
【００３２】
図３は、砂粒の寸法についての代表的な分布ダイアグラムである。この粒度分布解析は、商業的に入手可能な装置を用いたレーザを用いて作り出された。水平軸は、マイクロメートルで粒それぞれの外形寸法「ｄ」を示しており、垂直軸は、解析された砂であって水平軸により示された寸法を有する砂の合計容量の割合を示している。曲線及び水平軸の間で位置する面の面積は、１００％と一致しており、図３に対応するサンプルの砂粒の９５％は、１５０μｍよりも大きい寸法を少なくとも１つ有する。同時に、粒の９５％は、７５０μｍよりも小さい寸法を少なくとも１つ有する。曲線は、約３２０μｍである砂の寸法についての最大値を示す。また、ｄｍで示されるこの寸法は、粒の平均寸法であって解析された砂のサンプルすべてにわたって計算された平均寸法とほぼ等しい。このような寸法は、多数の粒が同時に容器１内に収容されることができるように構成されており、容器１における粒１２及びインク１１の混合物の均質かつ再現可能な挙動を統計上確保する。さらに、これら粒の寸法は、特定の粒１２がインク１１によりコネクタ２内に引き込まれることまたはインクローラ３と接触することが起こりうることを阻止するのに十分大きい。したがって、コネクタ２の閉塞及び／またはインクローラ３の回転閉塞が起こりうることは、阻止される。
【００３３】
また、図３により示された寸法と異なる寸法を有する砂粒は、筆記具の十分な操作特性をもたらす。しかしながら、発明者らは、粒の平均寸法ｄｍが４０μｍ及び５５０μｍの間にあるとき、及び／または粒の９５％が８００μｍよりも小さい寸法「ｄ」を有するとき、及び／または粒の９５％が０．５μｍよりも大きく好ましくは１５０μｍよりも大きい寸法「ｄ」を有するときに、最良の特性が得られることを見出した。さらに、容器１に収容された粒１２が制限された寸法バラツキを有することは好ましい。特に、粒それぞれの寸法「ｄ」は、粒の９５％について１０よりも小さい割合でばらつくことが好ましい。このような粒度分布特性により、最も大きな粒間の多数の隙間がより小さな粒により充填されることを防ぐことは可能となる。このとき、容器１のインク容量は、より大きくなる。また、これにより、これらのサイズに応じた粒１２の圧縮または剥離であって長期間の筆記具の不動の後に容器１において発生する圧縮または剥離を阻止することができる。そして、筆記具の動作は、使用の再開時においても一定となる。最後に、これは、容器の粒によるボールト(vault)の形成の危険性であってペン先にインクが供給される均一性を崩壊させうる危険性を低減する。同様に、粒それぞれの寸法による粒の粒度分布であって１つのみの最大値を有する粒度分布は、粒間の隙間がインクに対して十分な自由容積を形成することを確実にするための他の特徴を構成する。
【００３４】
例えば粒の表面における粉末または塵埃の粒子が粒の毛管特性を変化させることを防止するために、粒１２を構成する天然の砂は、洗浄される。しかしながら、例えば化学的エッチングまたは蒸着のような粒の表面を変更する処理は、除外され、粒の形状及びこのような処理が関与するコストにより得られる十分な結果をもたらすだろう。
【００３５】
上述した好ましい実施形態において、容器１は、好ましくは無機材料からなる同一タイプの粒のみを収容している。しかしながら、容器が例えばポリマーまたは金属材料などの異なるタイプの粒をわずかに収容すること、あるいは粒の可動性を制限するために繊維状素子を収容することは、不可能ではない。
【００３６】
発明の少なくとも一部の有利点が保持される限り、上で詳述して記載された筆記具が改良可能であることは理解される。特に、発明は、「ロールペン」タイプの筆記具への適用に限定されず、ペン特に万年筆、マーカまたは着色あるいは下線の筆記具のようなすべてのタイプの筆記具に適用することができる。
【図面の簡単な説明】
【００３７】
【図１】本発明における筆記具を示す断面図である。
【図２】本発明について使用される砂粒を示す図である。
【図３】本発明における筆記具に収容される粒の粒度分布を示すダイアグラムである。
【符号の説明】
【００３８】
１  インク容器，容器、３  ペン先，インクローラ、１１  インク、１２  粒、「ｄ」  外形寸法、ｄｍ  平均寸法
【図１】
2009523078.tif 000003
【図２】
2009523078.tif 000004
【図３】
2009523078.tif 000005
【手続補正書】
【提出日】平成19年9月27日(2007.9.27)
【手続補正１】
【補正対象書類名】特許請求の範囲
【補正対象項目名】全文
【補正方法】変更
【補正の内容】
【特許請求の範囲】
【請求項１】
筆記具であって、
インク容器（１）と、
前記容器と流体的に連通されかつ前記インク（１１）が当該筆記具の使用中において出てくるペン先（３）と、を備え、
前記容器が、前記インクに加え、分離された粒であって当該粒の特徴的な外形寸法「ｄ」と同等のオーダーの寸法を有する角部及び鋭い縁部を有する粒を収容し、
前記粒が、基本的に非多孔性であることを特徴とする筆記具。
【請求項２】
前記粒が、不規則な形状を有することを特徴とする請求項１に記載の筆記具。
【請求項３】
少なくとも一部の前記粒（１２）は、無機材料からなることを特徴とする請求項１または２に記載の筆記具。
【請求項４】
前記無機材料が、砂、炭酸カルシウム、コランダムまたは粉砕ガラスを包含することを特徴とする請求項３に記載の筆記具。
【請求項５】
前記粒（１２）が、前記容器（１）内に収容される当該粒すべてのレーザの粒度分布により決定される平均寸法であって４０μｍ及び５５０μｍの間にある平均寸法（ｄｍ）を有することを特徴とする請求項１から４のいずれか１項に記載の筆記具。
【請求項６】
前記容器（１）に収容される前記粒（１２）の９５％が、８００μｍ未満の寸法（「ｄ」）を少なくとも１つ有することを特徴とする請求項１から５のいずれか１項に記載の筆記具。
【請求項７】
前記容器（１）に収容される前記粒（１２）の９５％が、０．５μｍを越える寸法（「ｄ」）を少なくとも１つ有することを特徴とする請求項１から６のいずれか１項に記載の筆記具。
【請求項８】
前記容器（１）に収容される前記粒（１２）の９５％が、１５０μｍを越える寸法（「ｄ」）を少なくとも１つ有することを特徴とする請求項６に記載の筆記具。
【請求項９】
前記粒の個々の寸法（「ｄ」）が、前記容器（１）に収容される前記粒（１２）の９５％に対して１０未満の割合でばらつくことを特徴とする請求項１から８のいずれか１項に記載の筆記具。
【請求項１０】
前記粒（１２）が、粒の個々の寸法（「ｄ」）にしたがう粒度分布であって単一の最大値を有する粒度分布を有することを特徴とする請求項１から９のいずれか１項に記載の筆記具。
【請求項１１】
前記粒（１２）が、前記容器（１）内で少なくとも部分的に移動可能であることを特徴とする請求項１から１０のいずれか１項に記載の筆記具。
【請求項１２】
前記容器（１）の容積の一部には、前記粒がないことを特徴とする請求項１０に記載の筆記具。
【請求項１３】
前記容器の一部であって前記粒がない容器の一部が、前記容器の容積の３０％未満であることを特徴とする請求項１１に記載の筆記具。
【請求項１４】
前記容器（１）が、少なくとも部分的に透明な壁部（１０）を有することを特徴とする請求項１から１３のいずれか１項に記載の筆記具。
【請求項１５】
前記ペン先（３）が、多孔性の毛管先端部、ボール先端部またはインクローラ先端部またはインクローラ先端部であることを特徴とする請求項１から１４のいずれか１項に記載の筆記具。
【請求項１６】
前記インク（１１）が、液体でありかつ好ましくは水性タイプのインクであることを特徴とする請求項１から１５のいずれか１項に記載の筆記具。
【国際調査報告】
2009523078.tif 000006
2009523078.tif 000007
2009523078.tif 000008
2009523078.tif 000009
2009523078.tif 000010
2009523078.tif 000011